(57)【特許請求の範囲】
【請求項１】
中空の軸体と、
この軸体内に挿入され、前記軸体内の所定位置に回転不能に係合するとともに内周面にネジ部を有するネジ筒と、
外周面に前記ネジ筒と螺合するネジ部が形成されたネジ棒と、
一端が前記軸体内に挿入され回転自在に係合する回転筒とを備え、
前記回転筒の回転が前記ネジ棒に直接伝えられ、前記ネジ棒が前記軸体内の軸線方向に繰り出されるネジ棒繰出装置であって、
前記ネジ棒の外周面には、横断面における対向する方位に軸方向に沿って形成された一対の溝と、前記一対の溝が形成された方位とは直交する方位に軸方向に沿って対向して形成された一対の平面部とが設けられており、
前記回転筒の内部には、軸心に向かって放射状に突出するとともに前記回転筒の軸線方向に沿うように、六つのリブが周方向に等間隔に設けられており、
前記ネジ棒の前記一対の溝に前記六つのリブのうちいずれか対向する一対のリブの頂部が係合されることで、前記ネジ棒が前記回転筒に対して回転不能及び軸線方向に摺動可能に組み付けられていることを特徴とするネジ棒繰出装置。
【請求項２】
前記ネジ筒の端面に設けられたラチェット歯と、
前記ネジ筒のラチェット歯と噛み合い、前記回転筒の回転に同期して一方向に回転可能なラチェット機構とを有することを特徴とする請求項１記載のネジ棒繰出装置。
【請求項３】
前記ラチェット機構は両端を開いたコイルバネであり、このコイルバネの一端が前記ネジ筒のラチェット歯と噛み合い、他端が前記回転筒と係合することを特徴とする請求項２記載のネジ棒繰出装置。
【請求項４】
中空の軸体と、
この軸体内に挿入され、前記軸体内の所定位置に回転不能に係合するとともに内周面にネジ部を有するネジ筒と、
外周面に前記ネジ筒と螺合するネジ部が形成されたネジ棒と、
筒内で前記ネジ棒と回転不能及び軸線方向に摺動可能に係合し、前記筒の一端が前記軸体内に挿入され回転自在に係合する回転筒とを備え、
前記回転筒の回転が前記ネジ棒に直接伝えられ、前記ネジ棒が前記軸体内の軸線方向に繰り出されるネジ棒繰出装置であって、
前記ネジ筒の端面に設けられたラチェット歯と、
前記ネジ筒のラチェット歯と噛み合い、前記回転筒の回転に同期して一方向に回転可能なラチェット機構とを有し、
前記ラチェット機構は前記ネジ筒のラチェット歯と噛み合うと共に前記ネジ棒と係合し、前記回転筒の回転が前記ネジ棒を介して前記ラチェット機構に伝達されることを特徴とするネジ棒繰出装置。
【請求項５】
請求項１〜４のいずれかに記載のネジ棒繰出装置と、
前記ネジ棒の繰り出しに伴い前記軸体内を軸線方向に摺動して該軸体内に充填された充填物を押し出すピストンと、
を有することを特徴とするネジ棒繰出装置を用いたピストン式押出容器。
【発明の詳細な説明】
【０００１】
【発明の属する技術分野】
本発明は、中空円筒の軸体に回転自在に係合する回転筒と前記軸体内に配置されたネジ棒とを有し、この回転筒の回転が前記ネジ棒に伝えられ、前記ネジ棒が前記軸体内の軸線方向に繰り出されるネジ棒繰出装置に関する。
【０００２】
また、本発明は、軸体内に化粧料等の充填物を押し出すピストンを配し、軸体の後端部に回転筒（回転操作体）の回転をネジ棒を介して直線運動に変換してピストンに伝達し、ピストンの前進により充填物貯蔵タンクから充填物を押し出すように構成された、リップペンやアイライナーペン等の化粧具またはマーキングペン等の筆記具を包含するネジ棒繰出装置を用いたピストン式押出容器に関する。
【０００３】
【従来の技術】
軸体内に化粧料等の充填物を押し出すピストンを配し、軸体の後端部に回転筒（回転操作体）の回転をネジ棒を介して直線運動に変換してピストンに伝達し、ピストンの前進により充填物貯蔵タンクから充填物を押し出すように構成された、リップペンやアイライナーペン等の化粧具またはマーキングペン等の筆記具を包含するピストン式押出容器がある。
【０００４】
従来、この種のピストン式押出容器として、ピストンにネジ棒を一体化し、内周面にネジ部を有するネジ筒を回転操作体と一体化し、このネジ筒をネジ棒に螺着し、ネジ棒を回転不能及び軸線方向摺動可能とし、回転操作体およびネジ筒の回転をネジ棒の軸方向の直線運動に変換してピストンを前進させる構造のものが知られている。
【０００５】
例えば、実公平６−１４８４４号公報のものは、充填物貯蔵タンクと繰出体（ネジ筒および回転筒）との間にネジ棒が軸線方向摺動可能な隔壁を設け、組み立てる際、充填物貯蔵タンク側からピストンと一体化したネジ棒を挿入し、隔壁の反対側に設けられた内筒部材（ネジ筒）をネジ棒と螺合させ、この内筒部材を外筒部材（回転筒）が回転方向を規制して外筒部材の回転を内筒部材に伝え、内筒部材と螺合したネジ棒が充填物貯蔵タンク側に繰出される構造の物である。
【０００６】
また、実公平６−２０４１８号公報のものは、隔壁の代わりに軸線方向摺動可能な回転止めを設け、組み立てる際、繰出体側からピストンと一体化したネジ棒を挿入できるようにしたものであり、多少組立は容易になったが、つまみ体（回転筒）の回転を繰出体（ネジ筒）に伝え、ネジ筒と螺合したネジ棒が充填物貯蔵タンク側に繰出される構造である。この構造の技術思想は、実公平６−１４８４４号公報のものと同様である。
【０００７】
【発明が解決しようとする課題】
しかしながら、実公平６−１４８４４号公報や実公平６−２０４１８号公報のものは、隔壁または回転止めによってピストンとネジ筒が遮られているので、ネジ棒をネジ筒に螺合して組み立てる際には、ネジ棒の後端より長い距離をネジ込まなければならず、組み付け作業が煩雑であった。
【０００８】
また、上述の従来の技術は、回転筒の回転をネジ筒に伝え、ネジ筒を介してネジ棒を繰り出す構造なので、回転がネジ棒に確実に伝達されているかどうか感知することが困難であった。
【０００９】
さらに、上述の従来の技術では、隔壁や回転止め等の部品を使用しなければならず、部品点数が多くなり、コストが高くなってしまうという問題もあった。
以上から本発明は、前記問題点に鑑み創案されたものであり、組み付け作業が容易で、回転がネジ棒に確実に伝達され、コストを削減できるネジ棒繰出装置およびこの装置を用いたピストン式押出容器を提供することを技術的課題とする。
【００１０】
【課題を解決するための手段】
前記課題を達成するために、本発明のネジ棒繰出装置は、中空の軸体と、この軸体内に挿入され、前記軸体内の所定位置に回転不能に係合するとともに内周面にネジ部を有するネジ筒と、外周面に前記ネジ筒と螺合するネジ部が形成されたネジ棒と、筒内で前記ネジ棒と回転不能及び軸線方向に摺動可能に係合し、前記筒の一端が前記軸体内に挿入され回転自在に係合する回転筒とを備え、前記回転筒の回転が前記ネジ棒に直接伝えられ、前記ネジ棒が前記軸体内の軸線方向に繰り出されることを特徴とする。
【００１１】
この構成によれば、本発明は、ネジ棒をネジ込む際に、ネジ棒の先端側からネジ筒にネジ込んだ後、ネジ棒とピストンを一体化させて軸体の後端より挿入できるので、組立が容易にでき、従来のように、ネジ棒とピストンを一体化させたものを化粧料貯蔵部側から逆進させて組み込んだり、ネジ棒の後端からネジ筒を長い距離をねじ込むような煩雑な組立作業をしなくても良い。
【００１２】
また、本発明のネジ棒繰出装置は、中空の軸体と、この軸体内に挿入され、前記軸体内の所定位置に回転不能に係合するとともに内周面にネジ部を有するネジ筒と、外周面に前記ネジ筒と螺合するネジ部が形成されると共に、外周面の軸方向に沿って複数本の溝が形成されたネジ棒と、一端が前記軸体内に挿入され回転自在に係合する回転筒と、この回転筒内部に軸心に向かって放射状に突出するとともに前記回転筒の軸方向に沿って形成された複数本のリブとを備え、前記リブの突出部と前記ネジ棒の溝が回転不能及び軸方向に摺動可能に係合し、前記回転筒が回転するとき、その回転が前記ネジ棒に直接伝えられ、前記ネジ棒が前記軸体内の軸線方向に繰り出されることを特徴とする。
【００１３】
この発明によれば、回転筒からネジ棒にリブを介して直接回転を伝えるように構成したので、回転筒の回転が確実にネジ棒に伝達でき、安定したねじ棒の繰り出し動作を実現できる。また、この構成の回転筒のリブは射出成形条件が安定するので、比較的肉厚を均一にでき、リブの厚みを薄くすることができる。
【００１４】
また、本発明のネジ棒繰出装置は、前記ネジ筒の端面に設けられたラチェット歯と、前記ネジ筒のラチェット歯と噛み合い、前記回転筒の回転に同期して一方向に回転可能なラチェット機構とを有するように構成してもよい。
【００１５】
さらに、前記ラチェット機構は前記ネジ筒のラチェット歯と噛み合うと共に前記ネジ棒と係合し、前記回転筒の回転が前記ネジ棒を介して前記ラチェット機構に伝達されるように構成してもよい。
【００１６】
この構成によれば、組立作業が一層容易になる。
さらにまた、前記ラチェット機構は両端を開いたコイルバネであり、このコイルバネの一端が前記ネジ筒のラチェット歯と噛み合い、他端が前記回転筒と係合するように構成してもよい。
【００１７】
この構成によれば、ラチェット機構を簡略化でき、部品数を削減できる。
さらにまた、本発明のピストン式押出容器は、前記ネジ棒繰出装置において、前記軸体内に充填された充填物と、前記ネジ棒と係合し、前記ネジ棒の繰り出しに伴い前記軸体内を軸線方向に摺動して前記充填物を押し出すピストンとを有することを特徴とする。
【００１８】
この構成の容器は、液体あるいは固体の化粧料容器、マーキングペン等の筆記用具、医薬品の液状塗布具に好適である。
【００１９】
【発明の実施の形態】
以下、本発明の一実施の形態に係るピストン式押出容器を図１〜図６に基づいて詳細に説明する。
【００２０】
［ピストン式押出容器の構造］
本実施形態のピストン式押出容器は、図１に示すように、軸体１の後端に設けられた繰出機構部２と軸体１の前端に設けられた塗布部３と軸体１内に設けられた化粧料貯蔵部４とで構成される。
【００２１】
軸体１は、前端に小径軸部１ａを有しその後方には大径軸部１ｂを有する段付の中空円筒形状をしている。中空円筒の内部も、小径孔部１ｃと大径孔部１ｄとを有する段付孔が形成されている。
【００２２】
化粧料貯蔵部４は、小径孔部１ｃ先端に装着されたパイプ押さえ２３と小径孔部１ｃを摺動自在に挿嵌されたピストン５との間に形成される。この化粧料貯蔵部４には、液体化粧料２５が収納される。
【００２３】
繰出機構部２は、ピストン５、ネジ棒６、ネジ筒７、ラチェット機構８、ばね受け９、コイルバネ１０および回転筒１１で構成される。
ピストン５は円板形状をしており、図２に示すように、その後端に穴部５ａを有し、この穴部５ａにネジ棒６が一体的に接合される。ピストン５は、小径孔部１ｃの内面に水密に接触しながら軸線方向に摺動自在に挿嵌されている。
【００２４】
ネジ棒６は、その先端に係合部６ａを有し、この係合部６ａがピストン５の穴部５ａと一体的に接合する。また、ネジ棒６は、係合部６ａを除き、図３の断面図に示すように、その外周面にネジ（雄ネジ）部６ｂが形成されると共に、ネジ棒６の後端から係合部６ａの近傍まで軸方向に沿って平面部６ｃと溝６ｄが形成されている。そして、平面部６ｃは、二面形成され、その方位は図３の軸断面図から見て９０度と２７０度である。また、溝６ｄも２筋形成され、その方位は図３の軸断面図から見て０度と１８０度である。
【００２５】
軸体１の大径孔部１ｄには、図２に示すように、ネジ筒７と回転筒１１の小径軸部１１ａが挿入されている。
ネジ筒７は、図４の斜視図に示すように、円筒形状の一端に鍔部７ａを有し、鍔部７ａを除く外周面には軸方向に沿ってスプライン７ｂが設けてある。また、ネジ筒７の内部も段付穴を有し、小径側の中心孔内面にはネジ軸６と螺合するネジ部７ｃが螺設されている。さらに、ネジ筒７の小径孔側と大径孔側との境の面部には、一側に傾斜面を有する鋸歯状のラチェット歯７ｄが形成されている。
【００２６】
そして、軸体１の小径孔部１ｃ端部から大径孔部１ｄ側へＬ寸法（図２参照）の間には、ネジ筒７のスプライン７ｂと噛み合うスプライン溝１ｅが設けられている。ネジ筒７は、軸体１の大径孔部１ｄに設けられたスプライン溝１ｅに沿って挿入されており、スプライン７ｂがスプライン溝１ｅと噛み合うことによって回転方向移動が規制される。
【００２７】
ばね受け９は、図５の斜視図に示すように、段付孔を有する中空円筒形状をしている。段付孔の小径孔部９ａはネジ棒６の外径より少し大きな径の孔である。また、大径孔部９ｂはコイルバネ１０の外径より少し大きな径の孔である。大径孔部９ｂにはコイルバネ１０が収納される。
【００２８】
ばね受け９の外周面には軸方向に沿ってスプライン９ｃが形成されている。また、小径孔部９ａ側の端部９ｄには、ネジ筒７のラチェット歯７ｄと係合しうるように対向させて一側に傾斜面を有する鋸歯状のラチェット歯９ｅが形成されている。
【００２９】
回転筒１１は、図１に示すように、全体が小径軸部１１ａと大径軸部１１ｂを有する段付軸の筒であり、小径軸部１１ａ側には開口孔１１ｃを有し、大径軸部１１ｂ側の端部は閉じている。
【００３０】
小径軸部１１ａは軸体１の大径孔部１ｄに挿入されている。小径軸部１１ａは図２に示すように、大径軸部１１ｂ寄りに抜け止め用のリング突条１１ｆを突設している。一方、軸体１の大径孔部１ｄの内壁面には、リング突条１１ｆが嵌合するリング溝１ｆを設けている。
【００３１】
回転筒１１の開口孔１１ｃには、開口端部から軸方向へＭ寸法分（図２参照）、ばね受け９のスプライン９ｃと噛み合うスプライン溝１１ｅが設けられている。そして、ばね受け９は、回転筒１１の開口孔１１ｃに設けられたスプライン溝１１ｅに沿って挿入され、スプライン溝１１ｅによって回転方向移動を規制される。
【００３２】
また、回転筒１１の開口孔１１ｃには、軸方向に沿ってスプライン状のリブ１１ｄが６本、図３の断面図に示すように、放射状かつ等間隔に設けられている。６本のリブ１１ｄの方位は、図３の軸断面図から見て０度、６０度、１２０度、１８０度、２４０度、及び３００度である。なお、回転筒１１の開口孔１１ｃには、開口端部から軸方向へＭ寸法分リブ１１ｄは設けられていない。なお、このリブ１１ｄが無い部位にはばね受け９及びコイルバネ１０が収納される。また、図３に示すように、６本のリブのうち、０度と１８０度の方位のリブ１１ｄの頂部はネジ棒６の溝６ｃに挿入され、ネジ棒６の回転方向移動を規制する。一方、ネジ棒６は開口孔１１ｃにおいて軸方向へはリブ１１ｄに沿って摺動可能である。
【００３３】
ラチェット機構８は、図２に示すように、ネジ筒７のラチェット歯７ｄとばね受け９のラチェット歯９ｅとコイルバネ１０とで構成される。
コイルバネ１０は、回転筒１１のリブ１１ｄの先端側面を受座としてばね受け９をネジ筒７側に付勢している。従って、ばね受け９のラチェット歯９ｅとネジ筒７のラチェット歯７ｄは常に噛み合った状態となっている。このラチェット歯９ｅとラチェット歯７ｄは一方向（時計回り方向）にのみ回転可能であり、その回転方向はネジ筒７に対してネジ棒６を前進させる方向に対応させてある。
【００３４】
塗布部３は、図１に示すように、カバー筒２１とパイプ２２とパイプ押さえ２３と塗布体２４とで構成される。
カバー筒２１は、テーパー状の筒である。カバー筒２１の先端側の小径孔には塗布体２４が装着され、後端側の大径孔にはパイプ押さえ２３が装着されている。カバー筒２１は、塗布体２４の先端を突出させた状態で塗布体２４とパイプ押さえ２３を覆って小径孔部１ｃに装着されている。
【００３５】
パイプ押さえ２３は、軸中心にパイプ２２を挿嵌する穴が穿設され、後端の軸心には円錐穴２３ａが穿設されている。
パイプ２２は、中空円筒であり、その一端がパイプ押さえ２３の通孔に圧入され、他端がパイプ押さえ２３の前方に所定長さ突出されると共にその突出部が塗布体２４の内部に挿入されている。
【００３６】
塗布体２４は、先細状の毛質であり、パイプ２２を後端面から内部へ差し込むと共にその後端部をパイプ押さえ２３の前端部に当てて固定されている。
キャップ２０は、塗布体２４等を覆うためのものであり、軸体１の小径軸部１ａを内部に挿入した状態で着脱自在に設けられている。
【００３７】
［ピストン式押出容器の組立手順］
まず、繰出機構部２の組立手順を図１および図２に基づき説明する。
ネジ筒７の鍔部７ａ側の大径孔に、ネジ棒６の係合部６ａ側から挿入し、ネジ筒７のネジ部７ｃとネジ棒６のネジ部６ｂを螺合させる。
【００３８】
ピストン５の穴部５ａに、ネジ棒６の係合部６ａを一体的に接合させる。
ピストン５とネジ棒６とネジ筒７が一体となったものを、軸体１の大径孔部１ｄ側から、ピストン５を先頭に挿入し、小径孔部１ｃにピストン５の外周面を嵌入するとともに、大径孔部１ｄのスプライン溝１ｅに沿ってネジ筒７のスプライン７ｂを噛み合わせながらネジ筒７を挿入する。この時、ネジ筒７はスプライン溝１ｅによって回転方向の移動が不能になる。
【００３９】
次に、ばね受け９の大径孔部９ｂにコイルバネ１０を収納し、大径孔部９ｂ側を回転筒１１の開口孔１１ｃ側に向け、スプライン９ｃとスプライン溝１１ｅを噛み合わせながら、ばね受け９をスプライン溝１１ｅに沿って開口孔１１ｃに挿入する。
【００４０】
次に、ネジ棒６の後端を回転筒１１の開口孔１１ｃ側から挿入し、ネジ棒６の溝６ｄに回転筒１１のリブ１１ｄを噛み合わせて（図３参照）、ネジ棒６の軸線方向に沿って回転筒１１を摺動直進運動させると共に、回転筒１１の小径軸部１１ａを軸体１の大径孔部１ｄに挿嵌し、リング突条１１ｆをリング溝１ｆにはめ込む。この時、回転筒１１を時計回りに回転させることによって、ばね受け９のラチェット歯９ｅとネジ筒７のラチェット歯７ｄを噛み合った状態にする。一方、ばね受け９はコイルバネ１０によってネジ筒７側に付勢されている。
【００４１】
なお、大径軸部１１ｂの外周面は回転筒１１を回転する際の握りとして使用される。
次に、塗布部３の組立手順を図１に基づき説明する。
【００４２】
パイプ２２の一端をパイプ押さえ２３の通孔に圧入し、パイプ押さえ２３をパイプ２２を圧入した側からカバー筒２１の大径孔にパイプ押さえ２３を嵌入する。次に、カバー筒２１の先端孔から塗布体２４を挿入し、塗布体２４をパイプ２２を後端面から内部へ差し込むと共にその後端部をパイプ押さえ２３の前端部に当てて固定する。
【００４３】
軸体１の小径孔部１ｃ（化粧料貯蔵部４）に液体の化粧料２５を注入し、軸体１の小径孔部１ｃにカバー筒２１の後端を嵌入して化粧料２５を密封する。
最後に、キャップ２０を軸体１の小径軸部１ａを内部に挿入した状態で装着する。
【００４４】
［ピストン式押出容器の使用手順］
軸体１よりキャップ２０を外し、軸体１の大径軸部１ｂを一方の手で握り、他方の手で回転筒１１の外周部を握りながら、回転筒１１を時計回りに回転させる。すると、回転筒１１のリブ１１ｄがネジ棒６の溝に噛み合ったまま回転するので、回転筒１１の回転に同期してネジ棒６も時計回りに回転する。また、回転筒１１が回転すると、スプライン溝１１ｅとスプライン９ｃの噛み合いによって、ばね受９も回転筒１１の回転に同期して時計回りに回転する。なお、ネジ筒７は軸体１のスプライン溝１ｅによって回転方向の移動を規制されている。また、ばね受け９はコイルバネ１０によって付勢され、ばね受け９のラチェット歯９ｅとネジ筒７のラチェット歯７ｄが噛み合った状態になっているので、ばね受け９が時計方向に回転すると、ばね受け９のラチェット歯９ｅがコイルバネ１０の付勢に抗しながらネジ筒７のラチェット歯７ｄを避けながら移動する。そして、ラチェット歯７ｄを１つ避ける度に「カチ」という音を発生させる。
【００４５】
ばね受け９のラチェット歯９ｅはラチェット歯７ｄの傾斜面を登り、これにつれてコイルバネ１０の付勢に抗しながら軸線方向にばね受け９が没入する方向に撓み、傾斜面を登りきるとばね受け９はコイルバネ１０の付勢によって、ラチェット歯同士の嵌合音（「カチ」）を発して係止される。さらに、回転すると、ばね受け９は弾撥力によって、「カチ、カチ」と嵌合音を発しつつラチェット歯７ｄとの係脱動作を繰り返して回転する。
【００４６】
一方、回転筒１１を上記と反対方向に回転しようとすると、ネジ筒７のラチェット歯７ｄに嵌合係止されて反対方向に回転できないために、ネジ棒６も回転を阻止され、ピストン５は後退しない。
【００４７】
そして、ネジ棒６が回転すると、ネジ筒７は軸体１のスプライン溝１ｅによって回転方向の移動を規制されているので、ネジ棒６がネジ部のピッチ分軸体１側に直進運動することになる。
【００４８】
ネジ棒６が直進運動すれば、一体的に接続しているピストン５が小径孔部１ｃ（化粧料貯蔵部４）内を摺動前進し、化粧料２５を塗布体２４側に押圧する。ピストン５によって押圧された化粧料２５はパイプ押さえ２３の円錐穴２３ａからパイプ２２を通って塗布体２へ供給される。
【００４９】
このように回転筒１１の回転により、ピストン５を前進させて化粧料２５を吐出させて消費しながらピストン５を前進限の位置まで到達させる。図６はピストン５を前進限の位置まで到達させた場合を示す。
【００５０】
［本実施の形態の作用］
本実施の形態によれば、ネジ棒６をネジ込む際に、ネジ棒６の先端（係合部６ａ）側からネジ筒７にネジ込んだ後、ネジ棒６とピストン５を一体化させて軸体１の後端より挿入できる構成としたので、組立が容易にでき、従来のように、ネジ棒６とピストン５を一体化させたものを化粧料貯蔵部側から逆進させて組み込んだり、ネジ棒の後端からネジ筒を長い距離をねじ込むような煩雑な組立作業をしなくても良い。
【００５１】
また、本実施の形態によれば、回転筒１１からネジ棒６にリブ１１ｄを介して直接回転を伝えるように構成したので、回転筒１１の回転が確実に伝達でき、安定したピストン５の摺動前進を実現できる。
【００５２】
また、本実施の形態によれば、回転筒１１のリブ１１ｄは射出成形条件が安定するので、比較的肉厚を均一にでき、リブ１１ｄの厚みを薄くすることができる。
【００５３】
［別の実施の形態１］
前述の実施の形態では、回転筒１１とばね受け９とが回転不能及び軸線方向に摺動可能に係合し回転筒１１の回転を直接ばね受け９に伝える構成としたが、ネジ棒とばね受けとが回転不能及び軸線方向に摺動可能に係合しネジ棒の回転をばね受け９に伝える構成にしてもよい。
【００５４】
以下、ネジ棒とばね受けとが回転不能及び軸線方向に摺動可能に係合した場合の別の実施の形態１を図７及び図８に基づいて説明する。なお、図７及び図８において、前述の実施の形態（図１から図６）の符号と同一符号のものは、同一機能を有するものであり、その説明を省略する。
【００５５】
別の実施の形態１のばね受け３９は、段付孔を有する中空円筒形状をしている。段付孔の小径孔部３９ａは図８に示すように、ネジ棒６の断面外形形状と同様な形状を有し、ネジ棒６の断面外形形状より少し大きな形状の孔である。従って、ネジ棒６がばね受け３９の小径孔部３９ａに挿入されると、ネジ棒６とばね受け３９とが回転不能及び軸線方向に摺動可能に係合する。また、大径孔部９ｂは図７に示すように、コイルバネ１０の外径より少し大きな径の孔であり、コイルバネ１０を収納する。更に、小径孔部３９ａ側の端部９ｄには、ネジ筒７のラチェット歯７ｄと係合しうるように対向させて一側に傾斜面を有する鋸歯状のラチェット歯９ｅが形成されている。
【００５６】
回転筒３１の開口孔１１ｃには、図７に示すように、開口端部から軸方向へＭ寸法分リブ１１ｄは設けられていない。なお、このリブ１１ｄが無い部位にはばね受け９及びコイルバネ１０が収納される。
【００５７】
別の実施の形態１の組立手順を説明すると、ネジ筒７とネジ棒６を螺合させてピストン５とネジ棒６を一体的に接合させて後、ネジ棒６の後端よりばね受け３９及びコイルバネ１０を挿通させる。この時、ばね受け３９はネジ棒６によって回転方向の移動が不能になる。
【００５８】
次に、ネジ棒６の後端を回転筒３１の開口孔１１ｃ側から挿入し、ネジ棒６の溝６ｄに回転筒３１のリブ１１ｄを噛み合わせて（図３参照）、ネジ棒６の軸線方向に沿って回転筒３１を摺動直進運動させると共に、回転筒３１の小径軸部１１ａを軸体１の大径孔部１ｄに挿嵌し、リング突条１１ｆをリング溝１ｆにはめ込む。
【００５９】
前述の実施の形態では、ネジ筒７とネジ棒６とピストン５を組み立てる作業と、ばね受け９とコイルバネ１０と回転筒１１を組立る作業を別々に行っていたが、別の実施の形態１では、ネジ筒７、ネジ棒６、ピストン５、ばね受け９、コイルバネ１０、回転筒３１の順序で繰出機構部が組み立てることができ、組立作業が一層容易になる。
【００６０】
［別の実施の形態２］
前述の実施の形態では、ラチェット機構８の構成要素としてネジ筒７のラチェット歯７ｄとばね受け９のラチェット歯９ｅとコイルバネ１０で構成したが、ばね受け９のラチェット歯９ｅを用いずに、両端の開いたコイルバネにラチェット歯の役割を持たせてる構成にしてもよい。
【００６１】
以下、両端の開いたコイルバネにラチェット歯の役割を持たせた場合の別の実施の形態２を図９及び図１０に基づいて説明する。なお、図９及び図１０において、前述の実施の形態（図１から図６）の符号と同一符号のものは、同一機能を有するものであり、その説明を省略する。
【００６２】
別の実施の形態２のコイルバネ３０は、右巻きの両端の開いたコイルバネである。このコイルバネ３０の一端は、図９に示すように、ネジ筒７のラチェット歯７ｄに噛み合い、他端は回転筒１１のリブ１１ｄの側面に噛み合っている。
【００６３】
別の実施の形態２を使用手順を説明すると、回転筒１１が回転すると、コイルバネ３０の他端が回転筒１１のリブ１１ｄの側面に噛み合っているので、コイルバネ３０も回転筒１１の回転に同期して時計回りに回転する。また、コイルバネ３０とネジ筒７のラチェット歯７ｄが噛み合った状態になっているので、コイルバネ３０が時計方向に回転すると、コイルバネ３０の一端がネジ筒７のラチェット歯７ｄを避けながら移動する。そして、ラチェット歯７ｄを１つ避ける度に「カチ」という音を発生させる。
【００６４】
コイルバネ３０の一端はラチェット歯７ｄの傾斜面を登り、これにつれてコイルバネ３０の付勢に抗しながら軸線方向に没入する方向に撓み、傾斜面を登りきるとコイルバネ３０の一端はコイルバネ３０の付勢によって、コイルバネ３０の一端とラチェット歯７ｄが嵌合音（「カチ」）を発して係止される。さらに、回転すると、コイルバネ３０は弾撥力によって、「カチ、カチ」と嵌合音を発しつつラチェット歯７ｄとの係脱動作を繰り返して回転する。
【００６５】
一方、回転筒１１を上記と反対方向に回転しようとすると、コイルバネ３０とネジ筒７のラチェット歯７ｄ及びリブ１１ｄが噛み合った状態になっているので、ネジ筒７のラチェット歯７ｄに嵌合係止されて反対方向に回転できないために、ネジ棒６も回転を阻止され、ピストン５は後退しない。
【００６６】
別の実施の形態２によれば、ばね受け９のラチェット歯９ｅを用いずに、両端の開いたコイルバネ３０にラチェット歯の役割を持たせてる構成にしたことにより、部品数を削減できる。
【００６７】
［別な実施例１］
上述の実施の形態では、化粧料用の容器として説明したが、これに限らずマーキングペン等の筆記具、医薬品の液状塗布具等に使用してもよい。
【００６８】
図１１は、塗布部３にマーキングペンのペン先４０を装着した筆記具の場合を示している。この場合、化粧料貯蔵部４にはインクが収納される。
［別な実施例２］
上述の実施の形態では、液状化粧料用の容器として説明したが、これに限らず固形化粧料用の容器に使用してもよい。
【００６９】
図１２は、化粧料貯蔵部４１に固形化粧料２５ａを充填した場合を示している。この場合、固形化粧料２５ａを押し出すピストン４２は一端に球部を有する円柱状のものがよい。
【００７０】
また、図１３は、ピストン４２がなかり前進し、固形化粧料２５ａが残り少なくなった場合を示している。
【００７１】
【発明の効果】
本発明のネジ棒繰出装置によれば、ネジ棒をネジ込む際に、ネジ棒の先端側からネジ筒にネジ込んだ後、ネジ棒とピストンを一体化させて軸体の後端より挿入できるので、組立が容易にでき、従来のように、ネジ棒とピストンを一体化させたものを化粧料貯蔵部側から逆進させて組み込んだり、ネジ棒の後端からネジ筒を長い距離をねじ込むような煩雑な組立作業をしなくても良い。
【００７２】
また、本発明のネジ棒繰出装置によれば、回転筒からネジ棒にリブを介して直接回転を伝えるように構成したので、回転筒の回転が確実にネジ棒に伝達でき、安定したねじ棒の繰り出し動作を実現できる。また、この構成の回転筒のリブは射出成形条件が安定するので、比較的肉厚を均一にでき、リブの厚みを薄くすることができる。
【００７３】
さらに、本発明のネジ棒繰出装置によれば、ラチェット機構をネジ棒と係合させ、回転筒の回転がネジ棒を介してラチェット機構に伝達されるように構成すれば、組立作業が一層容易になる。
【００７４】
さらにまた、本発明によれば、ラチェット機構に両端を開いたコイルバネを使用することにより、ラチェット機構を簡略化でき、部品数を削減できる。
さらにまた、本発明のネジ棒繰出装置を用いたピストン式押出容器は、液体あるいは固体の化粧料容器、マーキングペン等の筆記用具、医薬品の液状塗布具に好適である。
【図面の簡単な説明】
【図１】本発明の一実施の形態の縦断面図である。
【図２】図１の要部拡大図である。
【図３】図１のＡ−Ａ矢視方向より見た断面図である。
【図４】ネジ筒の斜視図である。
【図５】ばね受けの斜視図である。
【図６】本発明の一実施の形態においてピストンを前進限の位置まで到達させた場合の縦断面図である。
【図７】本発明の別の実施の形態１の縦断面図である。
【図８】図７のＢ−Ｂ矢視方向より見た断面図である。
【図９】本発明の別の実施の形態２の縦断面図である。
【図１０】本発明の別の実施の形態２のコイルバネの外形図である。
【図１１】本発明の別の実施例１の縦断面図である。
【図１２】本発明の別の実施例２の縦断面図である。
【図１３】本発明の別の実施例２においてピストンを前進限近くの位置まで到達させた場合の縦断面図である。
【符号の説明】
１…軸体
２…繰出機構部
３…塗布部
４…化粧料貯蔵部
５…ピストン
６…ネジ棒
７…ネジ筒
８…ラチェット機構
９…ばね受け
１０…コイルバネ
１１…回転筒
２０…キャップ
２１…カバー筒
２２…パイプ
２３…パイプ押さえ
２４…塗布体
２５…化粧料（液体）
２５ａ…化粧料（固体）
【図１】
0003660948.tif 000002
【図２】
0003660948.tif 000003
【図３】
0003660948.tif 000004
【図４】
0003660948.tif 000005
【図５】
0003660948.tif 000006
【図６】
0003660948.tif 000007
【図７】
0003660948.tif 000008
【図８】
0003660948.tif 000009
【図９】
0003660948.tif 000010
【図１０】
0003660948.tif 000011
【図１１】
0003660948.tif 000012
【図１２】
0003660948.tif 000013
【図１３】
0003660948.tif 000014